(57)【要約】【課題】最小の部品点数をもって、可動体が移動規制体に突き当てられた際の跳ね返りを確実に阻止できるようにする。【解決手段】可動体Ｍに備えられる一時ロック部材１と、移動規制体Ｓに備えられる一時被ロック部材２とを備えている。一時ロック部材１は、回動体１０と、ウエイト体１１と、案内面部１２とを有している。回動体１０は前端部１０ａに可動体Ｍの復動側に向いた掛合部１０ｃを有する。ウエイト体１１は回動体１０の下方において突き当たり時に慣性によって移動規制体Ｓに近づく向きに移動可能とされている。案内面部１２はウエイト体１１を下方から支持すると共に可動体Ｍの往動先側に向かうに連れて高まる傾斜を持っている。一時被ロック部材２は突き当たり時に回動体１０の掛合部１０ｃの上方に位置され、回動体１０の持ち上がりによって掛合部１０ｃに引っ掛けられる被掛合部２０を有している。【選択図】        図１
2004316323.tif 000002
【特許請求の範囲】
【請求項１】
移動規制体に突き当たる位置まで往動可能とされる可動体のこの突き当たりの衝撃による復動方向への跳ね返りを阻止する装置であって、
可動体に備え付けられる一時ロック部材と、
移動規制体に備え付けられる一時被ロック部材とを備えており、
一時ロック部材は、
回動体と、
ウエイト体と、
ウエイト体の案内面部とを有しており、
回動体は、
可動体の往動先側に位置される前端部と後端部とを備え、この前端部の上部に、可動体の復動側に向いた掛合部を有すると共に、
この前端部と後端部との間において可動体の移動方向にほぼ直交する向きに軸線を配した水平軸によってこの前端部を上下方向に移動可能に軸支されており、
ウエイト体は、
回動体の下方において前記突き当たり時に慣性によって移動規制体に近づく向きに移動可能に構成されており、
案内面部は、
ウエイト体を下方から支持すると共に、可動体の往動先側に向かうに連れて次第に高まる傾斜を持っており、
この案内面部により前記突き当たり時に慣性によって移動されるウエイト体が回動体における水平軸とその前端部との間に位置される動作用接触部に下方から押し付けられてこの前端部側が持ち上げられるようにしてあり、
一時被ロック部材は、
前記突き当たり時に回動体の少なくとも掛合部の上方に位置され、かつ、この回動体の前記持ち上がりによってこの掛合部に引っ掛けられる被掛合部を有していることを特徴とする跳ね返り阻止装置。
【請求項２】
ウエイト体が球体であることを特徴とする請求項１記載の跳ね返り阻止装置。
【請求項３】
回動体の動作用接触部が、可動体の往動先側に向かうに連れて次第に下方に突き出す向きの傾斜を持ったウエイト体に対する第一接触箇所を備えていることを特徴とする請求項１又は請求項２記載の跳ね返り阻止装置。
【請求項４】
回動体の動作用接触部が、この回動体の前端部と第一接触箇所との間に、緩やかな稜部を形成させると共に、この稜部から回動体の前端部に近づくに連れて上方に向かう傾斜を持ったウエイト体に対する第二接触箇所を備えていることを特徴とする請求項３記載の跳ね返り阻止装置。
【発明の詳細な説明】
【０００１】
【発明の属する技術分野】
この発明は、移動規制体に突き当たる位置まで往動可能とされる可動体のこの突き当たりの衝撃による復動方向への跳ね返りを阻止する装置の改良に関する。
【０００２】
【従来の技術】
引き戸が戸当たりに突き当てられた際の引き戸の跳ね返りを防止する装置として、特許文献１に示されるものがある。
【０００３】
かかる装置は、引き戸側に設けられる回動部材、この回動部材の掛合部の形成側を常時上方に位置づけさせるようにこの回動部材を付勢するバネ、突き当たり時に慣性により移動して回動部材の掛合部の下方に入り込んで回動部材の下方への移動を阻止する球体、戸当たり側に設けられて引き戸の締め込み操作によって引き戸内に入り込むと共に、この入り込みに伴って回動部材をバネの付勢に抗して下方に一旦押し込んだ後、このバネの付勢により上方に再び回動される回動部材の掛合部を受け入れてこの掛合部に掛合される被掛合部を有する掛合部材、を備えている。
【０００４】
【特許文献１】
特開２００２−１７４０７０号公報
【０００５】
【発明が解決しようとする課題】
しかるに、特許文献１の装置にあっては、引き戸が戸当たりに突き当てられた際の前記掛合を、掛合部材により一旦下方に押し込まれた後、前記バネによって上方に再び回動される前記回動部材の動作によらしめていることから、この回動部材の動作と球体の慣性による移動とは本来リンクしていない。このため、掛合状態において回動部材の下方に球体が正しく入り込まない可能性もあり、突き当たり時の衝撃によって引き戸に復動方向に戻ろうとする力が作用された場合に、前記掛合が解かれてしまう事態をこの球体により確実に阻止できない場合が生じ易い。また、かかる装置にあっては、前記回動部材、球体、バネ、掛合部材の四点のパーツを必ず必要とするものであった。さらに、かかる装置にあっては、閉め込まれた引き戸を開き操作する場合には、前記掛合を解くように前記バネの付勢に抗して回動部材を下方に移動させるだけの力を必要とさせるため、こうした開き操作に少なからず抵抗を生じさせるものであった。
【０００６】
そこでこの発明は、この種の装置において、最小の部品点数をもって、可動体が移動規制体に突き当てられた際の跳ね返りを確実に阻止できるようにすることを主たる目的とする。
【０００７】
【課題を解決するための手段】
前記目的を達成するために、請求項１記載の発明にあっては、跳ね返り阻止装置が以下の（１）〜（５）の構成を備えたものとした。
（１）移動規制体に突き当たる位置まで往動可能とされる可動体のこの突き当たりの衝撃による復動方向への跳ね返りを阻止する装置であって、
（２）可動体に備え付けられる一時ロック部材と、
（３）移動規制体に備え付けられる一時被ロック部材とを備えており、
（４）一時ロック部材は、
回動体と、
ウエイト体と、
ウエイト体の案内面部とを有しており、
（４ａ）回動体は、
可動体の往動先側に位置される前端部と後端部とを備え、この前端部の上部に、可動体の復動側に向いた掛合部を有すると共に、
この前端部と後端部との間において可動体の移動方向にほぼ直交する向きに軸線を配した水平軸によってこの前端部を上下方向に移動可能に軸支されており、
（４ｂ）ウエイト体は、
回動体の下方において前記突き当たり時に慣性によって移動規制体に近づく向きに移動可能に構成されており、
（４ｃ）案内面部は、
ウエイト体を下方から支持すると共に、可動体の往動先側に向かうに連れて次第に高まる傾斜を持っており、
この案内面部により前記突き当たり時に慣性によって移動されるウエイト体が回動体における水平軸とその前端部との間に位置される動作用接触部に下方から押し付けられてこの前端部側が持ち上げられるようにしてあり、
（５）一時被ロック部材は、
前記突き当たり時に回動体の少なくとも掛合部の上方に位置され、かつ、この回動体の前記持ち上がりによってこの掛合部に引っ掛けられる被掛合部を有している。
【０００８】
かかる構成によれば、往動される可動体が移動規制体に突き当てられると、慣性によってウエイト体はこの移動規制体に近づく向きに移動される。このように移動されるウエイト体は、案内面部によって同時に持ち上げられ、回動体の動作用接触部に下方から押し付けられてこの回動体の前端部側を持ち上げさせる。このように前端部側を持ち上げられた回動体は、その掛合部を一時被ロック部材の被掛合部に対し下方から掛合させる。この掛合によって可動体の跳ね返りが阻止される。この後、ウエイト体は前記案内面部の傾斜によって慣性による移動前の位置に戻る。このウエイト体の戻りにより、回動体はその前端部側を持ち上げさせられる前の位置に、つまり、この前端部側を被掛合部に掛合させない下方位置に回動復帰され、これにより、一時ロック部材と一時被ロック部材との一時ロック状態が解除される。跳ね返りを阻止されて移動規制体に突き当てられた状態で停止された可動体は、この状態から支障なく復動可能とされる。すなわち、この発明にかかる跳ね返り阻止装置にあっては、回動体の動作がウエイト体の動作にリンクされており、可動体の突き当たり時には確実に移動規制体側の被掛合部に可動体側の掛合部を掛合させてこの突き当たりによって復動しようとする可動体の動きを適切に阻止することができる。また、この突き当たり状態から可動体を復動させる際には、何らの抵抗も生じさせない。
【０００９】
また、請求項２記載の発明にあっては、請求項１記載の跳ね返り阻止装置におけるウエイト体が球体であることを特徴としている。
【００１０】
かかる構成によれば、慣性力が作用された場合にウエイト体をスムースに移動させることができ、また、この慣性力の作用がなくなった場合にウエイト体をスムースに移動前の位置に戻させることができる。また、一時ロック部材をコンパクトに構成することができる。
【００１１】
また、請求項３記載の発明にあっては、請求項１又は請求項２記載の跳ね返り阻止装置における回動体の動作用接触部が、可動体の往動先側に向かうに連れて次第に下方に突き出す向きの傾斜を持ったウエイト体に対する第一接触箇所を備えていることを特徴としている。
【００１２】
かかる構成によれば、第一接触箇所と案内面部とにより、ウエイト体の位置する動作空間内の空間は、可動体の往動先側に向かうに連れて上下よりそれぞれ次第に狭まる空間となることから、ウエイト体に慣性力が作用された場合に、これに基づくウエイト体の移動によって速やかに回動体の前端部側を持ち上げることができる。つまり、ウエイト体の移動量がわずかでも回動体を大きく回動させることができる。特に、可動体の往動スピードが遅く、ウエイト体に作用される慣性力が小さい場合でも、可動体の跳ね返りを適切に阻止させることができる。
【００１３】
また、請求項４記載の発明にあっては、請求項３記載の跳ね返り阻止装置における回動体の動作用接触部が、この回動体の前端部と第一接触箇所との間に、緩やかな稜部を形成させると共に、この稜部から回動体の前端部に近づくに連れて上方に向かう傾斜を持ったウエイト体に対する第二接触箇所を備えていることを特徴としている。
【００１４】
かかる構成によれば、慣性により案内面部を昇るように移動したウエイト体の上部を稜部を乗り越えさせてこの第二接触箇所に接触させることができ、このウエイト体の移動状態をやや長く維持させることができる。これにより、回動体の前端部が持ち上げられた状態をやや長く維持させて可動体の跳ね返りを確実に阻止させることができる。第二接触箇所と第一接触箇所との間は緩やかな稜部となっていることから、慣性力の作用がなくなった後のウエイト体のその自重による移動前の位置への復帰は妨げられることがない。
【００１５】
【発明の実施の形態】
以下、図１ないし図９に基づいて、この発明の典型的な実施の形態について説明する。
【００１６】
なお、ここで図１ないし図４は、実施の形態にかかる跳ね返り阻止装置をそれぞれ表している。また、図５ないし図９は、かかる阻止装置をそれぞれ縦断面の状態として表しており、図５の状態から往動された可動体Ｍが図６に示されるように移動規制体Ｓに突き当てられると、ウエイト体１１が慣性により図６に示される位置から図７に示される位置に、さらには、図８に示される位置まで移動され、このウエイト体１１の移動によって移動規制体Ｓ側の被掛合部２０に可動体Ｍ側の掛合部１０ｃが掛合される。この後、ウエイト体１１に対する慣性の作用がなくなると、図９に示されるようにウエイト体１１は移動前の位置に戻り、前記掛合が解かれる。
【００１７】
この実施の形態にかかる跳ね返り阻止装置は、移動規制体Ｓに突き当たる位置まで往動可能とされる可動体Ｍのこの突き当たりの衝撃による復動方向ｙへの跳ね返りを阻止するものである。（なお、図１において往動方向を符号ｘで示す。）
【００１８】
典型的には、可動体Ｍとしては引き戸などが予定される。また、移動規制体Ｓとしては、かかる引き戸などがこの引き戸などを閉め込み切った位置において突き当てられる建物などの開放部の内面部（戸当たり部）などが予定される。
【００１９】
かかる跳ね返り阻止装置は、
可動体Ｍに備え付けられる一時ロック部材１と、
移動規制体Ｓに備え付けられる一時被ロック部材２とを備えている。
【００２０】
かかる一時ロック部材１および一時被ロック部材２は、典型的には、それぞれユニット化されて、対象となる可動体Ｍと移動規制体Ｓとに組み込まれるようにして用いられる。
【００２１】
可動体Ｍが前記引き戸である場合には、一時ロック部材１は、典型的には、引き戸における開放部の内面部に突き当てられる縦方向にある端部に備え付け用いられる。また、この場合には、一時被ロック部材２は、典型的には、かかる開放部における引き戸が突き当てられるこの開放部の縦方向にある内面部に備え付けられる。
【００２２】
かかる一時ロック部材１は、
（１）回動体１０と、
（２）ウエイト体１１と、
（３）ウエイト体１１の案内面部１２とを有している。
【００２３】
回動体１０は、
可動体Ｍの往動先側に位置される前端部１０ａと後端部１０ｂとを備え、この前端部１０ａの上部に、可動体Ｍの復動側に向いた掛合部１０ｃを有すると共に、
この前端部１０ａと後端部１０ｂとの間において可動体Ｍの移動方向にほぼ直交する向きに軸線を配した水平軸１０ｄによってこの前端部１０ａを上下方向に移動可能に軸支されている。
【００２４】
また、ウエイト体１１は、回動体１０の下方において前記突き当たり時に慣性によって移動規制体Ｓに近づく向きに移動可能に構成されている。
【００２５】
また、案内面部１２は、
ウエイト体１１を下方から支持すると共に、可動体Ｍの往動先側に向かうに連れて次第に高まる傾斜を持っており、
この案内面部１２により前記突き当たり時に慣性によって移動されるウエイト体１１が回動体１０における水平軸１０ｄとその前端部１０ａとの間に位置される動作用接触部１０ｅに下方から押し付けられてこの前端部１０ａ側が持ち上げられるようにしてある。
【００２６】
一方、一時被ロック部材２は、前記突き当たり時に回動体１０の少なくとも掛合部１０ｃの上方に位置され、かつ、この回動体１０の前記持ち上がりによってこの掛合部１０ｃに引っ掛けられる被掛合部２０を有している。
【００２７】
往動される可動体Ｍが移動規制体Ｓに突き当てられると、慣性によってウエイト体１１はこの移動規制体Ｓに近づく向きに移動される。（図６から図７）このように移動されるウエイト体１１は、案内面部１２によって同時に持ち上げられ、回動体１０の動作用接触部１０ｅに下方から押し付けられてこの回動体１０の前端部１０ａ側を持ち上げさせる。（図７）このように前端部１０ａ側を持ち上げられた回動体１０は、その掛合部１０ｃを一時被ロック部材２の被掛合部２０に対し下方から掛合させる。（図７、図８）この掛合によって可動体Ｍの跳ね返りが阻止される。この後、ウエイト体１１は前記案内面部１２の傾斜によって慣性による移動前の位置に戻る。（図９）このウエイト体１１の戻りにより、回動体１０はその前端部１０ａ側を持ち上げさせられる前の位置に、つまり、この前端部１０ａ側を被掛合部２０に掛合させない下方位置に回動復帰され、これにより、一時ロック部材１と一時被ロック部材２との一時ロック状態が解除される。跳ね返りを阻止されて移動規制体Ｓに突き当てられた状態で停止された可動体Ｍは、この状態から支障なく復動可能とされる。
【００２８】
図示の例にあっては、一時ロック部材１は、可動体Ｍの往動先側にある端部Ｍａに備え付けられている。
【００２９】
具体的には、この可動体Ｍの端部内に、回動体１０とウエイト体１１との納まる動作空間１３を形成させると共に、この動作空間１３内に回動体１０とウエイト体１１とを納め入れて、一時ロック部材１を形成させるようにしている。
【００３０】
かかる動作空間１３は、図示の例では、
（１）可動体Ｍにおける移動方向に沿った上部面１３ａと、
（２）この上部面１３ａに向き合った下部面１３ｂと、
（３）この上部面１３ａにおける可動体Ｍの復動先側の縁部と下部面１３ｂにおける可動体Ｍの復動先側の縁部との間に亘る鉛直面１３ｃと、
（４）上部面１３ａにおける可動体Ｍの移動方向に沿った縁部と下部面１３ｂにおける可動体Ｍの移動方向に沿った縁部との間に亘る左右側面１３ｄ、１３ｄとを備えている。
【００３１】
上部面１３ａは、ほぼ水平の面となるようにしてある。また、かかる動作空間１３は、可動体Ｍにおける移動規制体Ｓに対する突き当たり面Ｍｂにおいて外方に開放されている。図示の例にあっては、この動作空間１３の開放部１３ｅから突き当たり面Ｍｂより先に回動体１０の前端部１０ａが常時突き出されるようになっている。また、この動作空間１３の開放部１３ｅは、図示の例にあっては、前面と両側面と底面とをそれぞれ有し、かつ、上面１４ａを開放させ、その内部空間を動作空間１３の開放部１３ｅに連通させた膨出部１４によって覆われるようになっている。ウエイト体１１によって前端部１０ａ側を上方に持ち上げられる回動体１０は、この膨出部１４の開放された上面１４ａからその掛合部１０ｃを突き出すように構成されている。また、ウエイト体１１は、この膨出部１４の下部内面に接する位置まで前記慣性によってその移動が許容されるようになっている。
【００３２】
また、図示の例にあっては、回動体１０は、動作空間１３を構成する左右側面１３ｄ、１３ｄに形成された軸穴１３ｆにそれぞれ端部を軸支される水平軸１０ｄを有しており、この軸穴１３ｆにこの水平軸１０ｄの端部を納め入れて、この水平軸１０ｄを中心に回動可能な状態で動作空間１３内に納められている。
【００３３】
かかる回動体１０は、
（１）基部１０ｉと、
（２）アーム部１０ｏとを有している。
【００３４】
基部１０ｉは、回動体１０の未動作状態において、動作空間１３の上部面１３ａに突き当てられる天面部１０ｊと、動作空間１３の鉛直面１３ｃに向き合う後端面１０ｋと、底面部１０ｍとを備えている。底面部１０ｍと動作空間１３の下部面１３ｂとの間には、回動体１０の動作を可能とする隙間が形成されるようにしてある。
【００３５】
アーム部１０ｏは、かかる基部１０ｉにおける後端面１０ｋと反対の側から可動体Ｍの往動先側に向けて突き出すように設けられており、この基部１０ｉと一体に形成されている。
【００３６】
このアーム部１０ｏと基部１０ｉとのおおむね連接箇所において、このアーム部１０ｏの左右両側においてそれぞれ前記水平軸１０ｄとなる軸突部が形成されており、この箇所において回動体１０は回動可能に組み付けられている。
【００３７】
アーム部１０ｏは、その突き出し端に、上方に向けて突き出す突部１０ｐを有しており、この突き出し端を鈎状をなすように形成されている。図示の例にあっては、このアーム部１０ｏの突き出し端に形成されている突部１０ｐによって回動体１０の掛合部１０ｃが形成されている。
【００３８】
図示の例にあっては、アーム部１０ｏは、基部１０ｉとの連接側からその突き出し端に向かうに連れて、次第にその上部面および下部面を共に、基部１０ｉの天面部１０ｊのレベルから離れ出させるように傾斜させている。また、アーム部１０ｏの下部面は基部１０ｉの底面部１０ｍのレベルよりも上方に位置されており、このレベル差によって生じるアーム部１０ｏ下の空間にウエイト体１１が納まるようになっている。
【００３９】
また、図示の例にあっては、案内面部１２は、動作空間１３の下部面１３ｂの一部によって形成されている。
【００４０】
具体的には、図示の例にあっては、動作空間１３の下部面１３ｂは、鉛直面１３ｃと開放部１３ｅとの間に亘って形成されているが、そのほぼ中程の位置から開放部１３ｅに近づくに連れて次第に上方に近づく向きに傾斜されており、この傾斜された箇所が案内面部１２となり、その余の箇所が水平面部１２ａとなっている。
【００４１】
一方、図示の例にあっては、一時被ロック部材２は、
（１）移動規制体Ｓにおける可動体Ｍの突き当たり面Ｓａから内方に窪み込むように形成された導入穴２１と、
（２）この導入穴２１との連通開口２２ａを備えると共に、この導入穴２１に連通開口２２ａを連通させた状態で、移動規制体Ｓの突き当たり面Ｓａに備え付けられたプレート体２２とから構成されている。
【００４２】
図示の例にあっては、可動体Ｍの突き当たり面Ｍｂが移動規制体Ｓの突き当たり面Ｓａに突き当てられた位置において、プレート体２２の連通開口２２ａを通じて一時ロック部材１の膨出部１４が前記導入穴２１に入り込むようになっている。
【００４３】
また、プレート体２２の連通開口２２ａの開口上縁部２２ｂは、前記導入穴２１の穴口上縁部２１ａより下方に位置されており、このプレート体２２の連通開口２２ａの開口上縁部２２ｂの内面に、ウエイト体１１の慣性による移動によって前端部１０ａを上方に持ち上げさせた回動体１０の掛合部１０ｃ、つまり、前記アーム部１０ｏの突部１０ｐが引っかかるようになっている。すなわち、図示の例にあっては、かかるプレート体２２の連通開口２２ａの開口上縁部２２ｂが前記被掛合部２０となるようにしてある。
【００４４】
なお、図示の例にあっては、プレート体２２は、その上部側と下部側とにおいてそれぞれ、有頭ネジ２３によって移動規制体Ｓに止め付けられるようにしてあり、この関係から、可動体Ｍの突き当たり面Ｍｂには、この可動体Ｍが移動規制体Ｓに突き当たった状態においてこの有頭ネジ２３の頭部が納まる凹所Ｍｃが形成してある。
【００４５】
図示の例にあっては、ウエイト体１１が慣性により移動しない状態においては、ウエイト体１１はその下部を案内面部１２と水平面部１２ａとの接し合う箇所にほぼ位置させ、また、このように位置されるウエイト体１１の側部が可動体Ｍの基部１０ｉにおけるアーム部１０ｏの根本と基部１０ｉの底面部１０ｍとの間の前面部１０ｎに前方から押し当てられ、このウエイト体１１の押し当たりにより、回動体１０はその基部１０ｉの天面部１０ｊを動作空間１３の上部面１３ａに接触させるようになっている。この状態においては、アーム部１０ｏの突部１０ｐ、つまり、回動体１０の掛合部１０ｃは膨出部１４の開放された上面１４ａから突き出されないようになっている。
【００４６】
一方、可動体Ｍが往動されて移動規制体Ｓに突き当てられると、ウエイト体１１が慣性により案内面部１２を昇るように移動し、このウエイト体１１の移動によってウエイト体１１の側部は可動体Ｍの基部１０ｉにおける前面部１０ｎから離れ出すと共に、ウエイト体１１の上部がアーム部１０ｏの下部面に下方から押しつけられる。これにより、回動体１０はアーム部１０ｏの突部１０ｐ、つまり、回動体１０の掛合部１０ｃを膨出部１４の開放された上面１４ａから突き出すように回動され、一時被ロック部材２の被掛合部２０に掛合部１０ｃが掛合される。すなわち、図示の例では、アーム部１０ｏの下部面が前記動作用接触部１０ｅとして機能するようになっている。
【００４７】
このように一時被ロック部材２の被掛合部２０に一時ロック部材１の掛合部１０ｃが掛合された後、ウエイト体１１への慣性力の作用がなくなると、案内面部１２の傾斜によりウエイト体１１は移動前の位置に自然に降り、このように移動前の位置に復帰されるウエイト体１１によって回動体１０の基部１０ｉは再び前方から押圧されるようになることから、回動体１０も動作前の位置に復帰され、一時被ロック部材２の被掛合部２０への一時ロック部材１の掛合部１０ｃの掛合状態が解かれる。
【００４８】
ウエイト体１１は、慣性力の作用により、一時ロック部材１の案内面部１２を前記のように昇るように移動し、かつ、この慣性力の作用がなくなった場合に、移動前の位置に戻るように機能するものであれば、どのような具体的形状のものであっても構わないが、図示の例にあってはこのウエイト体１１を球体として構成している。
【００４９】
これにより、図示の例にあっては、慣性力が作用された場合にウエイト体１１をスムースに移動させることができ、また、この慣性力の作用がなくなった場合にウエイト体１１をスムースに移動前の位置に戻させることができる。また、一時ロック部材１をコンパクトに構成することができる。
【００５０】
図示の例にあっては、この球体として構成されているウエイト体１１は、このウエイト体１１に慣性力が作用されていない状態において、その上部を回動体１０の動作用接触部１０ｅに接しさせ、かつ、その下部を案内面部１２と水平面部１２ａとの接触箇所に接しさせるように位置づけられるが、（図５）このウエイト体１１の上部接触位置と下部接触位置との間の間隔はウエイト体１１の直径よりも小さくなっている。これにより、慣性によりウエイト体１１が移動されると、このように移動されるウエイト体１１によって回動体１０はその前端部１０ａ側を上方に押し上げられることとなる。
【００５１】
また、図示の例にあっては、回動体１０の動作用接触部１０ｅが、可動体Ｍの往動先側に向かうに連れて次第に下方に突き出す向きの傾斜を持ったウエイト体１１に対する第一接触箇所１０ｆを備えている。
【００５２】
具体的には、図示の例にあっては、アーム部１０ｏの下部面のうち、その根本側であって、このアーム体の基部１０ｉからの突き出し寸法の約３分の１位までの箇所が、回動体１０が未動作の状態において、可動体Ｍの往動先側に向かうに連れて次第に下方に突き出す向きの傾斜を持つようになっており、この箇所が前記第一接触箇所１０ｆとなっている。
【００５３】
これにより図示の例にあっては、この第一接触箇所１０ｆと案内面部１２とにより、ウエイト体１１の位置する動作空間１３内の空間は、可動体Ｍの往動先側に向かうに連れて上下よりそれぞれ次第に狭まる空間となることから、ウエイト体１１に慣性力が作用された場合に、これに基づくウエイト体１１の移動によって速やかに回動体１０の前端部１０ａ側を持ち上げることができる。つまり、ウエイト体１１の移動量がわずかでも回動体１０を大きく回動させることができる。
【００５４】
また、図示の例にあっては、回動体１０の動作用接触部１０ｅが、この回動体１０の前端部１０ａと第一接触箇所１０ｆとの間に緩やかな稜部１０ｈを形成させると共に、この稜部１０ｈから回動体１０の前端部１０ａに近づくに連れて上方に向かう傾斜を持ったウエイト体１１に対する第二接触箇所１０ｇを備えている。
【００５５】
図示の例にあっては、アーム部１０ｏの下面部のうち、第一接触部のアーム部１０ｏの根本側と反対の終端と、このアーム部１０ｏの突き出し端との間の箇所が、側面視の状態において上方に向けてアール状に窪んでおり、この窪みによって前記第二接触箇所１０ｇが形成されている。そして、この第二接触箇所１０ｇと第一接触箇所１０ｆとの間に緩やかな稜部１０ｈが形成されている。
【００５６】
これにより、図示の例にあっては、慣性により案内面部１２を昇るように移動したウエイト体１１の上部を稜部１０ｈを乗り越えさせてこの第二接触箇所１０ｇに接触させることができ、このウエイト体１１の移動状態をやや長く維持させることができる。これにより、回動体１０の前端部１０ａが持ち上げられた状態をやや長く維持させて可動体Ｍの跳ね返りを確実に阻止させることができる。第二接触箇所１０ｇと第一接触箇所１０ｆとの間は緩やかな稜部１０ｈとなっていることから、慣性力の作用がなくなった後のウエイト体１１のその自重による移動前の位置への復帰は妨げられることがない。
【００５７】
第二接触箇所１０ｇの長さ寸法と、稜部１０ｈより先へのウエイト体１１の入り込み寸法とを、共に大きくすればする程、ウエイト体１１が稜部１０ｈを乗り越えて移動前の位置に戻るまでの時間を長くさせることができる。
【００５８】
【発明の効果】
この発明にかかる跳ね返り阻止装置によれば、最小の部品点数をもって、可動体が移動規制体に突き当てられた際の跳ね返りを確実に阻止することができる。
【図面の簡単な説明】
【図１】跳ね上がり阻止装置の要部縦断面図
【図２】図１におけるＡ−Ａ矢視方向から視た側面図
【図３】図１におけるＢ−Ｂ矢視方向から視た側面図
【図４】図１におけるＣ−Ｃ線断面図
【図５】動作状態を示す縦断面図
【図６】動作状態を示す縦断面図
【図７】動作状態を示す縦断面図
【図８】動作状態を示す縦断面図
【図９】動作状態を示す縦断面図
【符号の説明】
Ｓ  移動規制体
Ｍ  可動体
１  一時ロック部材
１０  回動体
１０ａ  前端部
１０ｂ  後端部
１０ｃ  掛合部
１０ｄ  水平軸
１０ｅ  動作用接触部
１１  ウエイト体
１２  案内面部
２  一時被ロック部材
２０  被掛合部
【図１】
2004316323.tif 000003
【図２】
2004316323.tif 000004
【図３】
2004316323.tif 000005
【図４】
2004316323.tif 000006
【図５】
2004316323.tif 000007
【図６】
2004316323.tif 000008
【図７】
2004316323.tif 000009
【図８】
2004316323.tif 000010
【図９】
2004316323.tif 000011